(57)【要約】【課題】  制御回路基板ボックスに設けられる封止手段の不正抜脱行為を阻止する。【解決手段】  基板ボックス封止手段１７を制御回路基板ボックス基体２９と制御回路基板ボックス蓋２８との何れにも作用して各々嵌合しこれを開放不能に係止する一方、抜脱抗力を互いに交差して不正開放に対抗させ、併せて制御回路基板ボックス基体２９と制御回路基板ボックス蓋２８と基板ボックス封止手段１７とを浮動不能に一体に位置決め密接する樹脂成型された基板ボックス封止手段を有する遊技機における制御回路基板ボックス。【選択図】    図９
2005095206.tif 000002
【特許請求の範囲】
【請求項１】
内部に少なくとも入出力端子部１２と表示装置８と入賞口装置７とに接続される制御回路基板４３を収容する樹脂成型された制御回路基板ボックス基体２９と該制御回路基板ボックス基体２９と樹脂成型された制御回路基板ボックス蓋２８とを不正開放不能に封止する基板ボックス封止手段１７を、制御回路基板ボックス基体２９側に設けられた樹脂製係止手段３２と、制御回路基板ボックス蓋２８側に設けられた樹脂製係止手段３１と、該樹脂製係止手段３２と樹脂製係止手段３１とに各々嵌合して該制御基板ボックス基体２９と制御基板ボックス蓋２８とを封止する樹脂製係止手段３０とにより構成したことを特徴とする遊技機における制御回路基板ボックス。
【請求項２】
樹脂製係止手段３０に形成される嵌合部３５を、制御回路基板ボックス基体２９に連設された樹脂製係止手段３２に樹脂成型された複数の係合面４６と、制御回路基板ボックス蓋２８に連設された樹脂製係止手段３１に樹脂成型された複数の係合面４７とに各々多段で歯合する係止面４８に樹脂成型する一方、該樹脂製係止手段３０への抜脱作用に対してほぼ交差する複数の反作用軸で対抗して抜脱作用を阻止する壁面５０を少なくとも制御回路基板ボックス蓋２８に連設された樹脂製係止手段３２に樹脂成型した基板ボックス封止手段１７を有することを特徴とする請求項１に記載の遊技機における制御回路基板ボックス。
【請求項３】
内部に少なくとも入出力端子部１２と表示装置８と図柄表示装置６とに接続される制御回路基板４３を収容する制御回路基板ボックス基体２９と制御回路基板ボックス蓋２８とを解放可能にすると供に解放不能に封止する基板ボックス封止手段１７を、制御回路基板ボックス基体２９に連設された樹脂製係止手段３２と、制御回路基板ボックス蓋２８に連設された樹脂製係止手段３１と、該樹脂製係止手段３２と樹脂製係止手段３１とに各々嵌合する形態が成型された樹脂製係止手段３０とで形成する一方、制御回路基板ボックス基体２９と制御回路基板ボックス蓋２８との組み付け嵌合を案内して制御回路基板を当該制御回路基板ボックス内部に収納する位置決め案内手段３８、３９を、制御基板ボックス基体２９の樹脂製係止手段３２と制御基板ボックス蓋２８の樹脂製係止手段３１と各々対設して制御回路基板ボックス蓋２８を制御回路基板ボックス基体２９に係合して覆設する構成としたことを特徴とする遊技機における制御回路基板ボックス。
【発明の詳細な説明】
【技術分野】
【０００１】
本発明は、パチンコ遊技機やスロットマシンの制御回路基板ボックスに関する。
【背景技術】
【０００２】
従来、遊技機に設けられた制御回路基板ボックスは、制御回路基板が不正に改造されることを防止するために制御回路基板ボックスを封印シールや締着螺子により開放不能にする構造とされてきた。（特許文献１参照。）改良された技術にあっては、締着螺子により一旦螺嵌された制御回路基板ボックスは、基板ボックス締着部をニッパ等の工具により切断し破壊しなければ制御回路基板収納ボックスを開放できない構造とした。（特許文献２参照。）また制御基板ボックスの締着手段の具体化された構成としては、ケース部材側（公報符号２０４）で係止された締着ネジの離脱を防止するため挿入ピン固定台（公報符号２１０）やボールを有する物となり、（特許文献３。）ボックス本体（公報符号４１）側の保持部Ｈによって封印金具（公報符号１１）の係止爪（公報符号１１C）を保持し基板ボックス（公報符号４０）を開放不能にする構成となっている。（例えば、特許文献４参照）
【０００３】
更に、制御回路基板ボックスを螺子やピンなどで締着した後当該螺子やピンの不正取外しから防護するために封印キャップ、被覆部材、ボール、ボス蓋等の別部品を設けて螺子やピンなどの頭部に覆設する技術が開発された。（特許文献５、特許文献６、特許文献７、特許文献８）
【特許文献１】実開平１−２６０８５号公報（図７）
【特許文献２】特開平１０−２１６３２３号公報（第３頁、図６）
【特許文献３】特開平１５−１７５２４２号公報（第７頁、第８頁、図１２Ｂ、図１３Ｄ）
【特許文献４】特開２００２−２８２４９８号公報（第５頁、図４）
【特許文献５】特開平１２−３０８０７４３号公報（図４、封印キャップ８０）
【特許文献６】特開平１４−１１３２３２号公報（図５、被覆部材）
【特許文献７】特開平１５−１７５２４２号公報（図１３Ｄ、ボール）
【特許文献８】特開平１４−１２６３０７号公報（図３，ボス蓋１３）
【発明の開示】
【発明が解決しようとする課題】
【０００４】
従来構成の制御回路基板ボックスに対する不正開放を防止する為の封止手段にあっては締着螺子や封止ピン等によって封印を行ってきた為、封止作用が単一でかつ単方向でのみ封印が維持される構成であった。従って不正行為は締着螺子の軸部を打ち抜くことにより可能となり、また抜脱された締着螺子を軸内に戻し僅かな工夫をするだけで不正開放の痕跡を隠蔽することが可能で不正開放の事実を発見することは容易でなかった。また機械的に完全な封印を目的として封止手段の機械強度を重視し金属製品である締着螺子やピンを封止手段としこれを制御回路基板ボックスに組付ける構造とした。更に当該締着螺子やピンなどを不正な抜脱行為から防護する為に締着螺子に蓋部材を設ける構造ともなって制御回路基板ボックスを更に煩雑な構成としている。
【０００５】
制御回路基板ボックスは内部に収容する回路基板の素子の保全や真偽判別等のために透視可能とすると供に所望の形態に成形し易くまた取扱上の便宜から合成樹脂製材で形成されるが一般的である。この制御回路基板ボックスの封止手段として前記のように金属部品を使用する場合には、制御回路基板ボックス構成部品の組付技術上および管理（製造、資材管理）上の煩雑さと不経済性（高価）を招来する。また樹脂製の制御回路基板ボックスに対して締着螺子やピンなどの金属製締着手段に対応してこれを機械的に補強する部品を制御回路基板ボックスに付設しなければ成らない。
【０００６】
例えば制御回路基板ボックスに割れや損傷を生じさせない挿入ピン固定台などの採用が必要となる。本願発明は、制御回路基板ボックスの封止手段を制御回路基板収納ボックスと同一若しくは同質の安価な合成樹脂製材で形成するとともに制御回路基板ボックス１５の基板ボックス封止手段１７を制御回路基板ボックス基体２９と制御回路基板ボックス蓋２８との何れにも作用して各々嵌合しこれを開放不能に係止する一方互いに交差して作用する複数種類の抜脱抗力を生じさせる強固な封止手段を提供する。また制御回路基板ボックス基体と制御回路基板ボックス蓋と基板ボックス封止手段とを一体に密着接合して制御回路基板ボックスを浮動不能に封止する基板ボックス封止手段を有する該制御回路基板ボックスを提供しようとするものである。
【課題を解決するための手段】
【０００７】
課題を解決する手段は、内部に少なくとも入出力端子部１２と表示装置８と入賞口装置７とに接続される制御回路基板４３を収容する樹脂成型された制御回路基板ボックス基体２９と該制御回路基板ボックス基体２９と樹脂成型された制御回路基板ボックス蓋２８とを不正開放不能に封止する基板ボックス封止手段１７を、制御回路基板ボックス基体２９側に設けられた樹脂製係止手段３２と、制御回路基板ボックス蓋２８側に設けられた樹脂製係止手段３１と、該樹脂製係止手段３２と樹脂製係止手段３１とに各々嵌合して該制御基板ボックス基体２９と制御基板ボックス蓋２８とを封止する樹脂製係止手段３０とにより構成したことを特徴とする遊技機における制御回路基板ボックスを要旨とする。
【０００８】
また、樹脂製係止手段３０に形成される嵌合部３５を、制御回路基板ボックス基体２９に連設された樹脂製係止手段３２に樹脂成型された複数の係合面４６と、制御回路基板ボックス蓋２８に連設された樹脂製係止手段３１に樹脂成型された複数の係合面４７とに各々多段で歯合する係止面４８に樹脂成型する一方、該樹脂製係止手段３０への抜脱作用に対してほぼ交差する複数の反作用軸で対抗して抜脱作用を阻止する壁面５０を少なくとも制御回路基板ボックス蓋２８に連設された樹脂製係止手段３２に樹脂成型した基板ボックス封止手段１７を有することを特徴とする上に記載の遊技機における制御回路基板ボックスを要旨とする。
【０００９】
また内部に少なくとも入出力端子部１２と表示装置８と図柄表示装置６とに接続される制御回路基板４３を収容する制御回路基板ボックス基体２９と制御回路基板ボックス蓋２８とを解放可能にすると供に解放不能に封止する基板ボックス封止手段１７を、制御回路基板ボックス基体２９に連設された樹脂製係止手段３２と、制御回路基板ボックス蓋２８に連設された樹脂製係止手段３１と、該樹脂製係止手段３２と樹脂製係止手段３１とに各々嵌合する形態が成型された樹脂製係止手段３０とで形成する一方、制御回路基板ボックス基体２９と制御回路基板ボックス蓋２８との組み付け嵌合を案内して制御回路基板を当該制御回路基板ボックス内部に収納する位置決め案内手段（案内溝）３８、３９を、制御基板ボックス基体２９の樹脂製係止手段３２と制御基板ボックス蓋２８の樹脂製係止手段３１と各々対設して制御回路基板ボックス蓋２８を制御回路基板ボックス基体２９に係合して覆設する構成としたことを特徴とする遊技機における制御回路基板ボックスを要旨とするものである。
【発明の効果】
【００１０】
本願発明の構成によって、
【００１１】
従来構成の締着螺子やピンに対して軸線上の鉛直方向に対する不正な抜脱作用に抗するのみ成らずこれに交差する方向にも不正開放に係わる作用に抗することができる確実かつ強固な封止作用を実現することができる効果を生じる。
【００１２】
また制御回路基板ボックスと同一の素材で物理的に馴染みやすくしかも安価な樹脂製材で基板ボックス封止手段を制御回路基板ボックスとともに成型できるので、締着螺子やピンなど金属部品を組付け使用する製造作業上の煩雑さと、不経済性を改善する効果を生じる。また、樹脂製係止手段３０を制御回路基板ボックス基体２９と制御回路基板ボックス蓋２８との何れにも不正開放作用に抗して作用させこれを阻止し、また不正開放作用に対し互いに交差して抵抗する複数種類の抜脱抗力を生じさせて不正開放に多面で強固に対抗できる効果を生じる。併せて制御回路基板ボックス基体と制御回路基板ボックス蓋と基板ボックス封止手段とが一体に密着接合されて制御回路基板ボックスを浮動不能に封止する効果をも生じる。
【発明を実施するための最良の形態】
【００１３】
本願発明における実施の形態を、図１から図１０を参照して以下詳細に説明する。
【実施例１】
【００１４】
本実施例において、図１は、制御回路基板ボックス１５が設置されるパチンコ遊技機１の正面図である。
【００１５】
当該パチンコ遊技機の正面中央部には打球受け皿３が設けられ、打球受け皿３の下方に隣接して打球発射ハンドル４が設けられている。遊技者が打球受け皿３に打球を供給し、打球発射ハンドル４を回動しパチンコ球を弾発発射すると該パチンコ球は遊技盤面２に向かって転動する。遊技盤面２上に到来したパチンコ球の内の一つは該遊技盤面に設けられた入賞口装置７に落入可能となる。
【００１６】
入賞口装置７には、一般入賞口と始動入賞口と特別入賞口等の種別より成るが、本実施例においては、遊技盤２面中央部に設けられた図柄表示装置６の変動表示を開始させる始動入賞口となるものである。８は、表示装置であって、入賞口装置７において入賞球の落入が検出された場合や、図柄表示装置６における変動表示の結果に特別な利益を設定する大当たり図柄が図柄表示装置６において確定表示された場合、或いは不正行為が当該パチンコ遊技機１で検出された場合に当該事実を表示態様を切り替え表示するものである。９は、大入賞口装置であって前記大当たり図柄の確定表示により所定の期間に限って極めて広い入賞球落入領域を形成するものである。
【００１７】
図２において、１０は遊戯場に設置された図示しないパチンコ球供給装置より受入れたパチンコ球を一時的に貯留する球タンクである。球タンク１０に連接してパチンコ球を賞品球払い出し装置１３に向けて導出するタンクレール１１が設けられている。１２は、入出力端子部であって遊戯場に設置された図示しないパチンコ遊技機管理装置に当該パチンコ遊技機で処理された遊戯情報や賞品球の払い出し状況などの管理情報が入出力され電気信号を中継する構成である。
【００１８】
５は機枠であって、この機枠を基体として前面側にはガラス枠や打球受け皿３等の装設された前面枠が開閉可能に軸支されるとともに、図柄表示装置６等が装着された遊技盤２が脱着可能に収容される。また、機枠５内部には図２において図示した表示回路基板ボックス１４、制御回路基板ボックス１５、賞品球払い出し装置１３が脱着可能に収容される。１６は、中継回路基板であって遊技盤や機枠に装着される電磁部品、ランプ、ＬＥＤ、検出部品などの電装品の電気接続を中継する。
【００１９】
賞品球払い出し装置１３の下方には賞品球排出経路２０が設けられていて打球受け皿３と、賞品球排出樋２１と連通された第二の打球受け皿に賞品球を供出するようになっている。２３は電源配線であり賞品球払い出し装置１３の他大入賞口装置９、図柄表示装置６、制御回路基板ボックス１５などの各電装部品に電力を供給する。
【００２０】
２４は、入賞の検出や、大当たれ図柄の確定表示、大入賞口装置の駆動等に同調して異なる音声、楽音を駆動拡声する為の音声駆動部である。２２は打球発射ハンドル４への回動操作に連繋されてパチンコ球を弾発する打球杆への付勢力を調整する弾発力調整装置である。
【００２１】
図３は、パチンコ遊技機の平面図であって、上記の球タンク１０、機枠５、打球発射ハンドル４、打球受け皿３、機枠回動軸２７を図示するともに、プリペイカードによりパチンコ遊戯を可能とするカードユニット２６を並設させてこれを図示した。
【００２２】
また図４においては、パチンコ遊技機１の側面図であり既述の表示装置８と、遊技盤２と、打球受け皿３と、打球発射ハンドル４と、賞品球排出樋２１と、制御回路基板ボックス１５と、基板ボックス封止手段１７と、当該パチンコ遊技機の中央要部を覆設してパチンコ遊技機構成物を保護する遊技盤裏面カバー２５と、タンクレール１１と、球タンク１０とを図示している。
【００２３】
図２、図４、図５において、パチンコ遊技機１の裏面には、制御回路基板ボックス１５が図示しない係着手段例えばビスや摺動片より脱着可能に載置されている。１７は、基板ボックス封止手段であって、制御回路基板ボックス基体２９と制御基板ボックス蓋２８とで上下に分割され、また各々制御回路基板ボックス基体２９と制御基板ボックス蓋２８とに各々連設された各一組４個の封止手段が制御回路基板ボックス１５の両端縁に計８個設けられている。
【００２４】
制御回路基板ボックス１５の内部に収容される制御回路基板４３のブロック図を図１０において示した。図柄表示装置６、入賞口装置７、表示装置８、大入賞口装置９、賞品球払い出し装置１３、音声駆動部２４（音声制御装置４５）、打球発射装置（打球発射ハンドル４）などの各装置における制御内容については、これら各装置に設けられた制御回路と各制御プログラムとによって詳細に設定され各入賞球についての検出信号、生成し更新された各種制御データ、電気電子部品の駆動信号によりパチンコ遊技機における制御が分岐される。ＲＯＭに記憶したプログラムとＲＡＭで作成更新されるデータに基づいてＣＰＵが入賞口装置７などからのデータを受け、図柄表示装置６、大入賞口装置９，賞品球払い出し装置１３、表示装置８、音声駆動部２４の制御内容が逐次更新する。
【００２５】
制御回路基板ボックス１５に収納される制御回路基板４３には、これらの各装置と信号を入出力するための端子部が設けられていている。該端子部は、大入賞口装置Ｉ／Ｆ端子、表示装置Ｉ／Ｆ端子、入賞口装置Ｉ／Ｆ端子、音声制御装置Ｉ／Ｆ端子、図柄表示装置Ｉ／Ｆ端子。賞品球払い出し装置Ｉ／Ｆ端子、図柄表示装置Ｉ／Ｆ端子等により構成され図示しないコネクタを介して前記各装置と電気接続可能な構造となっている。
【００２６】
次に図８は、図８（Ａ）は制御回路基板ボックス１５に複数個の基板ボックス封止手段１７が設けられる外観を示すものであって、本実施例においては４個の基板ボックス封止手段１７が制御回路基板ボックス１５の側端縁のほほ全域に亘って列設された構造となっている。図８（Ａ）において制御回路基板ボックス１５と基板ボックス封止手段１７とが連接する個所が、後に記載の正規の基板ボックス封止手段１７を分離して制御回路基板ボックス１５を検査若しくは修理のために開放する際に使用される。
【００２７】
図８（Ｂ）は、基板ボックス封止手段１７と制御回路基板ボックス１５とが連接される部位に封止手段分離部４２（４２ａ、４２ｂ、４２ｃ、４２ｄ）を設けた基板ボックス封止手段１７の変更例である。パチンコ遊技機における制御回路基板４３の正規の点検修理や動作認証する際において制御回路基板ボックス１５の開放作業を容易なものとする為の構造を有する。制御回路基板の点検時には、４個設けられた基板ボックス封止手段１７の内予め封着された基板ボックス封止手段１７の一つの封止手段分離部４２ａを切断して、制御回路基板ボックス１５を制御回路基板ボックス基体２９より制御回路基板ボックス蓋２８を開放する。
【００２８】
分離された制御回路基板ボックス１５より制御回路基板４３を取り出して検査若しくは修理を行う。後再び次段に設けられた制御回路基板ボックス封止手段１７をもって制御回路基板４３を制御回路基板ボックス基体２９と制御回路基板ボックス蓋２８の内部に収容する。この場合に図８（Ｂ）で示す連接部を幅狭とした封止手段分離部４２を成型しておくことにより御回路基板ボックス１５はニッパやカッターなどによる容易に切断できる。
【００２９】
次に、制御回路基板ボックス１５についての本実施例における封止構造と封止機能を詳細に図６と図７とにより説明する。基板ボックス封止手段１７は、図６および図７で図示する様に、樹脂製係止手段となるものであり３１、３２とともに樹脂製封止手段と定義されるものである第一ロック部材３０が、樹脂製係止手段となるものであり３０、３２とともに樹脂製封止手段と定義されるものである第二ロック部材３１と、樹脂製係止手段となるものであり３０、３２とともに樹脂製封止手段と定義されるものである第三ロック部材３２とを有する。基板ボックス封止手段１７に設けられる第一ロック部材３０の第一ロック片３４と第二ロック片３５に多数個形成された係止面４８と、第二ロック部材３１に形成された第一ロック受片３６と第二ロック受片３７に刻設された係合面４７と、第三ロック部材３２に形成された第三ロック受片４１に形成された多数個の係合面４６とが互いに係合し面接合され、後各々歯合して互いを係止する構造となっている。
【００３０】
図７（Ａ）は、合成樹脂製材例えばポリカーボネイト或いはＡＢＳ樹脂を形成して成型した樹脂製の第一ロック手段３０を示す。第一ロック手段３０には第一ロック片３４と第二ロック片３５とが延設されている。第一ロック片３４と第二ロック片３５の何れにも相対面して、第一ロック片山部３４ａと第一ロック片谷部３４ｂと、第二ロック片山部３５ａと第二ロック片谷部３５ｂとにより成る歯が複数段形成されている。
【００３１】
図７（Ｂ）は、制御回路基板ボックス蓋２８に連設された第二ロック部材３１を制御回路基板ボックス蓋２８の一部とともに示している。第二ロック部材３１には前記第一ロック片３４と第二ロック片３５とを挿通させる挿通溝４０ａと挿通溝４０ｂとが形成されている。
【００３２】
図７（Ｃ）は、制御回路基板ボックス基体２９に連設された上記第三ロック部材３２を示し、制御回路基板ボックス蓋２８を制御回路基板ボックス基体２９に対して冠着する場合に機能させる制御基板ボックス基体２９側の位置決め手段となる案内片３９が、前記制御基板ボックス蓋２８側の位置決め案内手段となる案内溝３８に対設され該案内片３９が案内溝３８係入される形状を有する。第三ロック部材３２には第一ロック部材３０に形成された第二ロック片３５に歯合する第三ロック受片４１が形成された挿通溝４０ｃ、と挿通溝４０ｄが透設されている。
【００３３】
図７（Ｄ）は、第一ロック部材３０を、第二ロック部材３１と第三ロック部材３２とに歯合して制御回路基板ボックス基体２９と制御回路基板ボックス蓋２８とを基板ボックス封止手段１７とともに一体とした外観を図示する。
【００３４】
図６（Ａ）は、基板ボックス封止手段１７による封止工程を封止が完了した状態をの図６（Ｂ）とともに示している。
【００３５】
図６（Ａ）において、３０はポリカーボネイト若しくはＡＢＳ樹脂等で形成された第一ロック部材である。既述のように第一ロック部材３０には第一ロック片３４と第二ロック片３５が延設されていて、第一ロック片３４の内側部には第一ロック片山部３４ａと第一ロック片谷部３４ｂとよりなる歯形状が複数段に亘って形成されている。また、第二ロック片３５の前記第一ロック片３４に形成された歯形状に相対抗する形態で第二ロック片山部３５ａと第二ロック片谷部３５ｂとからなる歯形状が多数段に亘って連なり形成されている。
【００３６】
第一ロック部材３０の頭部は面一とされず段差を有し、高さのある一方の側内面には間隙部３３が形成されている。第一ロック片３４は、第二ロック部材３１を貫通し第三ロック部材３２に形成された挿通溝４０内において収容される。
【００３７】
第二ロック片３５は、第三ロック部材３２を貫通して延出部の先端が露出する形体になっている。なお該延出部は第一ロック片３４と第二ロック部材３５に形成された歯形状に向かって互いに付勢され傾斜する樹脂製材とし形成すると、第二ロック部材３１の係合面４７と第三ロック部材３２の係合面４６とを第一ロック部材３０が常時抱持するものとすることができる。
【００３８】
第二ロック部材３１には、第一ロック受片山部３６ａと第一ロック受片谷部３６ｂとが歯状に形成された挿通溝４０ａが既述のように透設されるとともに、第二ロック受片山部３７ａと第二ロック受片谷部３７ｂとが歯状に形成された挿通溝４０ｂが透設されている。第二ロック部材３１の第一ロック受片３６と第二ロック受片３７ととの下方端には第三ロック部材３２に凸設された案内片３９を嵌入する案内溝３８が凹形状で断面逆三角形状に形成されている。
【００３９】
第三ロック部材３２は、第一ロック部材３０の第一ロック片３４が挿入される挿通溝４０ｄが貫設されるとともに、第一ロック部材３０の第二ロック片３５を嵌入する挿通溝４０ｃが透設されている。第一ロック部材３０の第二ロック片３５に形成された第二ロック片山部３５ａと第二ロック片谷部３５ｂとに嵌入される第三ロック受片４１の第三ロック受片山部４１ａと第三ロック受片谷部４１ｂとより成る歯が該挿通溝４０ｃ内壁に形成されている。
【００４０】
第二ロック部材３１と第三ロック部材３２とには、第二ロック部材３１の第二ロック受片３７と第三ロック部材３２の第三ロック受片４１に各々隣接して第一ロック部材３０の挿通時に該第二ロック受片３７と第三ロック受片４１との下方端部が弾性変移して第一ロック部材３０の侵入を容易とする為の切込溝５１ａと切込溝５１ｂと、切込溝５２ａと、切込溝５２ｂとが刻設されている。
【００４１】
なお、第三ロック部材３２に凸設した案内片３９と、第二ロック部材３１に凹設した案内溝３８とによる制御回路基板ボックス基体２９と制御回路基板ボックス蓋２８とを冠設する場合の位置決め手段を補助するために、案内片３９と案内溝３８とが形成する面領域より専有面積の少ない凸部と凹部とを第二ロック部材３１と第三ロック部材との接合面に形成するものとしてもよい。この場合、制御回路基板ボックス１５に対する横軸方向の位置ずれ変移による基板ボックス封止手段１７の損傷を防護するためには更に互いに係合される複数組の案内ピンと案内孔を設ける構造とするのが好ましい。
【００４２】
制御回路基板ボックス基体２９に連設して設けられた第三ロック部材３２に形成された案内片３９が、制御回路基板ボックス蓋２８に連設された第二ロック部材３１の案内溝３８に嵌入される。この際既述のように案内片３９と案内溝３８とは相対応して断面三角に形成された凸片と凹溝とにより成っているので、嵌入時に互いに摺接された後当接し密着して嵌合される。従って、第三ロック部材３２に連設された制御基板ボックス基体２９と、制御回路基板ボックス蓋２８とは接合箇所に隙間のない状態で冠着されこととなり、極めて精度の高い位置決めが行えると供に、基板ボックス封止手段１７である第一ロック部材３０と第二ロック部材３１と第三ロック部材３２とが互いに当接する歯面による密着接合にもよって、制御回路基板ボックス基体２９と制御回路基板ボックス蓋２９とを浮動されることのない確実な密着接合を実現している。
【００４３】
案内片３９と案内溝３８とが嵌合された後、第一ロック部材３０によって第二ロック部材３１と第三ロック部材３２とが既述のように歯面を介した隙間の無い密着接合が実現され、制御回路基板ボックス基体２９と制御回路基板ボックス蓋２８とが第一ロック部材３０に延設された第一ロック片３４と第二ロック片３５との複数ロック機構が第二ロック部材３１と第二ロック部材３２とを抱持しまた掴持する。第二ロック部材３１に形成された挿通溝４０ａ、４０ｂに第一ロック部材３０の第一ロック片３４と第二ロック片３５とが挿入され、更に第一ロック部材３０が侵出して、第三ロック部材３２に形成された挿通溝４０ｃ、４０ｄとに第一ロック部材３０の第一ロック片３４と第二ロック片３５係合され第一ロック部材３０が第二ロック部材３１と第三ロック部材３２とを抱持する。
【００４４】
既述のように第一ロック部材３０に設けられた第二ロック片３５には、多数段に形成された第二ロック片山部３５ａと第二ロック片谷部３５ｂとが設けられている。第二ロック片山部３５ａと第二ロック片谷部３５ｂの複数組が第二ロック片３５が一次に侵入した第三ロック部材３２の第三ロック受片山部４１ａ、第三ロック受片谷部４１ｂと歯合される。また、第二ロック片山部３５ａと第二ロック片谷部３５ｂの他の複数組は、第二ロック片３５が二次に侵入した第二ロック部材３１の第二ロック受片山部３７ａと第二ロック受片谷部３７ｂとに各々歯合される。
【００４５】
第一ロック部材３０に設けられた第一ロック片３４は、第一ロック片山部３４ａと第一ロック片谷部３４ｂとからなる歯形状を具備し、該第一ロック片３４が侵入した第二ロック部材３２の第一ロック受片山部３６ａと第一ロック受片谷部３６ｂとで歯合される。
【００４６】
第一ロック部材３０に形成された第一ロック片３４と第二ロック片３５と、第二ロック部材３１に形成された第二ロック受け片３７と、第三ロック部材３２に形成された第三ロック片４１とは既述のように弾性変形可能な樹脂形成体となっていて、第一ロック片３４と第二ロック片３５との第二ロック部材３１の挿通溝４０ａ、４０ｂ、第三ロック部材３２の挿通溝４０ｃへ挿通時に互いに歪んで、各挿通溝４０内への第一ロック部材の侵入が許容される。
【００４７】
図９は、実施例における第一ロック部材３０と第二ロック部材３１と第三ロック部材３２よりなる樹脂製封止手段における封止作用の概要を、作用軸と作用内容とともに矢印で示した基板ボックス封止手段の断面図である。
【００４８】
即ち、制御回路基板ボックス１５に対して不正な行為がなされて、樹脂製封止手段である第一ロック部材３０を、第一ロック部材３０が係入された図９における上下方向に引き抜き離脱させる作用が生じる場合には、Ｘ方向と、−Ｘ方向と、Ｙ方向と、−Ｙ方向との複数側で作用力が交差する方向にもこれを阻止する反作用力が生じる。またＲの−Ｒとして矢印で示す第一ロック部材３０の第一ロック片３４と第二ロック片３５とが引き抜き作用を受けて拡開作用する方向に対しても抗力が生じて第一ロック部材３０の抜脱が阻止される。
【００４９】
一方、制御回路基板ボックス１５の締着部や封止手段を破壊し抜脱した場合に不正行為者は、締着螺子やピンの挿入位置に螺子ピンをさしもどして不正行為の痕跡を隠蔽する。
【００５０】
この場合本実施例においては、従来の締着螺子や締着ピンに相当する第一ロック部材３０がポリカーボネイトやＡＢＳ等の樹脂製封止手段として制御回路基板ボックスと供に成型しているので、不正行為により樹脂製封止手段である基板ボックス封止手段１７を切断し破壊した場合には、破壊された第一ロック部材３０と第二ロック部材３１と第三ロック部材３２とを供に初期の形態に復活させることは不可能な物となる。更に、微細な形成された歯形状の損壊は痕跡の除去を到底不可能なものともする。従って抜脱した締着螺子や締着ピンを差し戻されて不正箇所がされ、不正行為の痕跡が除去されるという問題が解決される。
【００５１】
特に、実施例に記載した構成は、制御回路基板締着用の締着螺子や締着ピンを不正に取り外し制御回路基板を変更して後再び螺子やピンを係入し締着螺子や締着ピン周辺部だけの隠蔽工作によっては制御回路基板ボックス封止部を初期状態に復活させることは出来ないものとなるので不正行為の発見が容易となると供にこれによって不正行為を未然に防止する。即ち、本実施例の構成によって樹脂製封止手段を抜脱することは不可能であるとともに樹脂製封止手段に対する破壊行為によって粉砕された樹脂製封止手段である基板ボックス封止手段１７は初期の形態には復活されず不正行為の痕跡が維持される。不正行為の確実な発見もまた可能である。
【００５２】
接着剤等を用いて破壊された樹脂製品を初期の状態に戻すことが工作される場合には、基板ボックス封止手段の樹脂製材の化学的素性若しくは物理的形状を変更して対応できる。例えば樹脂製材への陶土等の混合により該樹脂製封止部を極めて微細に粉砕され接着材が機能しない素性とすることが考えられる。
【００５３】
次に、先行する出願においては単一の封止部材例えば締着螺子や封止ピンの頭部に、新たな別の蓋部材を冠着して該締着螺子や封止ピンの抜き脱行為から防護しようとする技術も創作されているが、この技術によっては合成樹脂製の制御回路基板ボックスとは異なる金属性の締着ピンを別部品として資材管理しなければ成らないことに加え、蓋部材を更に新たな制御回路基板ボックス構成部品として物流管理しなければ成らない煩雑さが生じるとともに、制御回路基板ボックス１５の製造工程において締着ピンの締着作用に対応して制御回路基板ボックス１５損傷させない挿入ピン固定台の設置作業と、前記蓋部材の重着作業とを経なければ成らないことともなっていて、制御回路基板ボックス製造工程における作業性の非効率性と不合理性が従来構成の不正行為への防護構造に生じてきた。
【００５４】
実施例に記載した構成によって、制御回路基板ボックス基体２９と制御回路基板ボックス蓋２８とを案内片３９と案内溝３８とによって位置決め案内して合体した制御回路基板ボックス１５は、既に合体して一体化された制御回路基板ボックス基体２９に連設された第三ロック部材３２と制御回路基板ボックス蓋２８に連設された第二ロック部材３１とに対して、第一ロック部材３０を押圧し嵌合するだけで簡単に不正開放不能な構成に封止封印でき制御回路基板ボックス１５についての組み立て作業が極めて簡便なものとなる。
【００５５】
よって、締着螺子を螺着するためのドライバや、締着ピンを打ち込むためのハンマー装置などを製造ラインに設ける必要もなく、また電動工具を使用して行う制御回路基板ボックス組み付け作業の労力も軽減される。制御回路基板ボックス１５の基板ボックス封止手段１７の構造に必要な組付部品点数の減少と安価なポリカーボネイトやＡＢＳの樹脂製品のみで制御色基板ボックスが封止されるものとなり、極めて経済的で作業効率の高い不正防護策と制御回路基板ボックス製造方法が実現できる効果を生じる。
【００５６】
なお、既述のように図５では制御回路基板ボックス１５に設けられた基板ボックス封止手段１７、樹脂製封止手段である第一ロック部材３０と第二ロック部材３１と第三ロック部材３２とが一組で計４組制御回路基板ボックス１５の上方の一端部に形成されているものを図示しているが、勿論、下方にも同様に４組形成して、上方の一組と下方の一組を一対として計４組の基板ボックス封止手段を設ける構成としてもよい。この構成においては正規の制御回路基板の検査に際し上方の一組と相対応する下方の一組の基板ボックス封止手段を分離して制御回路基板ボックス１５を開放する。
【００５７】
また、図２、図４、図５、図８の何れにおいても４組全ての封止手段１７が既に制御回路基板ボックス１５に係合された態様で図示してあるが、パチンコ遊技機１の製造メーカーよりは通常４組の基板ボックス封止手段の内一の基板ボックス封止手段のみについて咬止られて遊技場に出荷される。後制御回路基板４３についての正規の検査の際と、例外的に制御回路基板４３の故障時に当該基板ボックス封止手段１７が撤去され制御回路基板ボックス１５が開放されて所定の検査と、特別な修理の実施が許容される。
検査若しくは修理の完了後において、次段に構える基板ボックス封止手段１７が、樹脂製封止手段である第一ロック部材３０が樹脂製封止手段である第二ロック部材３１と樹脂製封止手段である第三ロック部材３２とに嵌入されて制御回路基板ボックス１５の封止封印が戻される。  
【００５８】
上記の場合、次段に準備される第一ロック部材３０を予め次段の第二ロック部材３１に取外不能に係着させる構造としても良く、工場出荷時に咬止め第一の封止手段を除く３組全てを第二ロック部材３１で抜脱取外不能に係止させておく構造としてもよい。但しセキリティ管理上、第一ロック部材３０は当該制御回路基板ボックス１５とは分離してパチンコ遊戯場若しくは当該制御回路基板ボックスの製造販売メーカーにおいて他の第一ロック部材３０を保管し、検査若しくは修理上特別に許可された場合のみに第一ロック部材３０を配布して基板ボックス封止手段１７を管理するのが有効となる。このようにすれば樹脂製封止手段であり基板ボックス封止手段１７となる第一ロック部材３０の部品管理手順から制御回路基板ボックス１５の開放履歴の管理が実現できる効果を生じる。
【００５９】
本実施例に記載した発明は、内部に少なくとも入出力端子部１２と表示装置８と入賞口装置７とに接続される制御回路基板４３を収容する樹脂成型された制御回路基板ボックス基体２９と該制御回路基板ボックス基体２９と樹脂成型された制御回路基板ボックス蓋２８とを不正開放不能に封止する基板ボックス封止手段１７を、制御回路基板ボックス基体２９側に設けられた樹脂製係止手段３２と、制御回路基板ボックス蓋２８側に設けられた樹脂製係止手段３１と、該樹脂製係止手段３２と樹脂製係止手段３１とに各々嵌合して該制御基板ボックス基体２９と制御基板ボックス蓋２８とを封止する樹脂製係止手段３０とにより構成したことを特徴とする遊技機における制御回路基板ボックスとなるものである。
【００６０】
また本実施例に記載した発明は、樹脂製係止手段３０に形成される嵌合部３５を、制御回路基板ボックス基体２９に連設された樹脂製係止手段３２に樹脂成型された複数の係合面４６と、制御回路基板ボックス蓋２８に連設された樹脂製係止手段３１に樹脂成型された複数の係合面４７とに各々多段で歯合する係止面４８に樹脂成型する一方、該樹脂製係止手段３０への抜脱作用に対してほぼ交差する複数の反作用軸で対抗して抜脱作用を阻止する壁面５０を少なくとも制御回路基板ボックス蓋２８に連設された樹脂製係止手段３２に樹脂成型した基板ボックス封止手段１７を有することを特徴とする上に記載の遊技機における制御回路基板ボックスとなるものでもある。
【００６１】
またさらに本願発明の実施例に記載した発明の構成は、内部に少なくとも入出力端子部１２と表示装置８と図柄表示装置６とに接続される制御回路基板４３を収容する制御回路基板ボックス基体２９と制御回路基板ボックス蓋２８とを解放可能にすると供に解放不能に封止する基板ボックス封止手段１７を、制御回路基板ボックス基体２９に連設された樹脂製係止手段３２と、制御回路基板ボックス蓋２８に連設された樹脂製係止手段３１と、該樹脂製係止手段３２と樹脂製係止手段３１とに各々嵌合する形態が成型された樹脂製係止手段３０とで形成する一方、制御回路基板ボックス基体２９と制御回路基板ボックス蓋２８との組み付け嵌合を案内して制御回路基板を当該制御回路基板ボックス内部に収納する位置決め案内手段３８、３９を、制御基板ボックス基体２９の樹脂製係止手段３２と制御基板ボックス蓋２８の樹脂製係止手段３１と各々対設して制御回路基板ボックス蓋２８を制御回路基板ボックス基体２９に係合して覆設する構成としたことを特徴とする遊技機における制御回路基板ボックスとなるものである。
【００６２】
制御回路基板ボックス基体２９に連設する樹脂製封止手段である第三ロック部材３２および制御回路基板ボックス蓋２８に連設する複数個の樹脂製封止手段である第二ロック部材３１は、それぞれ組ごとに色彩を異ならせて設定し、本実施例における４組の樹脂製封止手段を４種類色彩により制御回路基板ボックスと封止手段１７の別を識別できる構成としてもよい。また、複数個列設する樹脂製封止手段を制御回路基板ボックスの機種毎や生産ロット毎に色彩を異ならせて成型してよく、第一ロック部材３０のみを格別に設定した色彩によって識別させる構成としてもよい。
【００６３】
制御回路基板ボックス１５組み立て時に第二ロック部材３１と第二ロック部材３２との当接面に接着剤を塗布し、また第一ロック部材３０第二ロック部材３１との当接面に接着剤を塗布し第一ロック部材３０と第三ロック部材３２との当接面に接着材を塗布し当該ロック部材３０、３１、３２間に間隙を形成させず互いを完全密着する構造としてもよい。或いは各ロック部材３０３１３２の係合により生じる間隙をゲル、ゾル状の充填材で融着する構造としてもよい。これによって第一ロック部材３０を第二ロック部材３１若しくは第三ロック部材３２から不正に完全な状態で抜脱することが阻止できる。第一ロック部材３０を基板ボックス封止手段１７から完全に抜き去られることが不可能な構造となる。
【図面の簡単な説明】
【００６４】
【図１】本願発明に係るパチンコ遊技機の正面図である。
【図２】本願発明に係るパチンコ遊技機の裏面図である。
【図３】本願発明に係るパチンコ遊技機の平面図である。
【図４】本願発明に係るパチンコ遊技機の側面図である。
【図５】本願発明に係る制御回路基板ボックスの概要図である。
【図６】本願発明に係る基板ボックス封止手段の封止作用を示す断面図である。
【図７】本願発明に係る制御回路基板ボックスの封止状態を示す斜視図である。
【図８】本願発明に係る制御回路基板ボックス封止手段分離部の異なる態様を示す斜視図である。
【図９】本願発明に係る樹脂製封止手段における封止作用の概要を作用軸と作用内容とともに示す図である。
【図１０】本願発明に係る制御回路基板の概要を示す制御回路ブロック図である。
【符号の説明】
【００６５】
１  パチンコ遊技機  、２  遊技盤  、３  打球受け皿  、
４  打球発射ハンドル  、５  機枠  、６  図柄表示装置  、７  入賞口装置  、８  表示装置  、９  大入賞口装置  、１０  球タンク  、
１１  タンクレール  、１２  入出力端子部  、１３  賞品球払い出し装置  、１４  表示回路基板ボックス  、１５  制御回路基板ボックス  、
１６  中継回路基板  、１７  基板ボックス封止手段  、
２０  賞品球排出経路  、２１  賞品球排出樋、２２  弾発力調整装置  、
２３  電源配線  、
２４音声駆動部  、２５  遊技盤裏面カバー  、２６  カードユニット  、
２７  機枠回動軸  、２８  制御回路基板ボックス蓋  、
２９  制御回路基板ボックス基体  、３０  第一ロック部材  、
３１  第二ロック部材  、３２  第三ロック部材  、３３  間隙部  、
３４  第一ロック片  、３４a  第一ロック片山部  、３４a  第一ロック片谷部、３５  第二ロック片  、３５ａ  第二ロック片山部  、
３５ｂ  第二ロック片谷部  、３６  第一ロック受片  、
３６a  第一ロック受片山部  、３６b  第一ロック受片谷部  、
３７  第二ロック受片  、３７a  第二ロック受片山部  、
３７b  第二ロック受片谷部  、３８  案内溝  、３９  案内片  、
４０  挿通溝  、４０a  挿通溝  、４０b  挿通溝  、４０c  挿通溝  、
４０d  挿通溝  、４１  第三ロック受片  、４１a  第三ロック受片山部  、
４１  第三ロック受片谷部  、４２  封止手段分離部  、  
４３  制御回路基板  、４５  音声制御装置  、４６  係合面  、  ４７  係合面  、  ４８  係止面  、
５０  壁面  、５１ 切込溝  、５２  切込溝  。
【図１】
2005095206.tif 000003
【図２】
2005095206.tif 000004
【図３】
2005095206.tif 000005
【図４】
2005095206.tif 000006
【図５】
2005095206.tif 000007
【図６】
2005095206.tif 000008
【図７】
2005095206.tif 000009
【図８】
2005095206.tif 000010
【図９】
2005095206.tif 000011
【図１０】
2005095206.tif 000012